(57)【要約】【課題】  本発明は、フェージングの影響によるサービスの途切れを軽減するトランスポートストリーム切替え方法及びその装置を提供することを目的とする。【解決手段】  インターリーブを行った第１トランスポートストリームと、前記第１トランスポートストリームと同一またはその一部の内容でインターリーブを行わない第２トランスポートストリームを多重して送信し、受信信号から分離されデインターリーブを行った第１トランスポートストリームと前記受信信号から分離された第２トランスポートストリームとを前記第１または第２トランスポートストリームの正常／異常判定結果に基づいて切替えて出力する。【選択図】        図４
2006093768.tif 000002
【特許請求の範囲】
【請求項１】
インターリーブを行った第１トランスポートストリームと、前記第１トランスポートストリームと同一またはその一部の内容でインターリーブを行わない第２トランスポートストリームを多重して送信し、
受信信号から分離されデインターリーブを行った第１トランスポートストリームと前記受信信号から分離された第２トランスポートストリームとを前記第１または第２トランスポートストリームの正常／異常判定結果に基づいて切替えて送信することを特徴とするトランスポートストリーム切替え方法。
【請求項２】
第１トランスポートストリームと、前記第１トランスポートストリームを所定時間だけ遅延した第２トランスポートストリームと、前記第２トランスポートストリームのインターリーブを行った第３トランスポートストリームを多重して送信し、
受信信号から分離され前記所定時間だけ遅延した第１トランスポートストリームと、前記受信信号から分離された第２トランスポートストリームと、前記受信信号から分離されデインターリーブを行った第３トランスポートストリームとを前記前記第１及び第３トランスポートストリームの正常／異常判定結果に基づいて切替えて出力することを特徴とするトランスポートストリーム切替え方法。
【請求項３】
インターリーブを行った第１トランスポートストリームと、前記第１トランスポートストリームと同一またはその一部の内容でインターリーブを行わない第２トランスポートストリームを多重して送信された信号を受信する受信装置であって、
受信信号から分離された前記インターリーブを行った第１トランスポートストリームのデインターリーブを行うデインターリーブ手段と、
前記第１トランスポートストリームまたは前記受信信号から分離された第２トランスポートストリームの正常／異常判定を行う判定手段と、
前記デインターリーブ手段からの第１トランスポートストリームと前記受信信号から分離された第２トランスポートストリームとを前記判定手段の判定結果に基づいて切替えて出力する切替手段を
有することを特徴とする受信装置。
【請求項４】
第１トランスポートストリームと、前記第１トランスポートストリームを所定時間だけ遅延した第２トランスポートストリームと、前記第２トランスポートストリームのインターリーブを行った第３トランスポートストリームを多重して送信された信号を受信する受信装置であって、
受信信号から分離された第１トランスポートストリームを前記所定時間だけ遅延する遅延手段と、
前記受信信号から分離された前記インターリーブを行った第３トランスポートストリームのデインターリーブを行うデインターリーブ手段と、
前記前記第１及び第３トランスポートストリームの正常／異常判定を行う判定手段と、
前記遅延手段からの第１トランスポートストリームと前記受信信号から分離された第２トランスポートストリームと前記デインターリーブ手段からの第３トランスポートストリームとを前記判定手段の判定結果に基づいて切替えて出力する切替手段を
有することを特徴とする受信装置。
【請求項５】
請求項３記載の受信装置において、
前記第２トランスポートストリームは前記第１トランスポートストリームの一部の内容であり、
前記切替手段は、前記第１トランスポートストリームが正常でないとき、前記第１トランスポートストリームから前記第２トランスポートストリームに切替えて出力することを特徴とする受信装置。
【請求項６】
第１トランスポートストリームと、前記第１トランスポートストリームを所定時間だけ遅延した第２トランスポートストリームを多重して送信された信号を受信する受信装置であって、
受信信号から分離された第１トランスポートストリームと前記受信信号から分離された第２トランスポートストリームを供給され、受信ユーザの操作により前記第１トランスポートストリームから前記第２トランスポートストリームに切替えて出力する切替手段を
有することを特徴とする受信装置。
【請求項７】
インターリーブを行って第１トランスポートストリームを出力する手段と、
前記第１トランスポートストリームと同一またはその一部の内容でインターリーブを行わない第２トランスポートストリームと前記第１トランスポートストリームを多重して送信する手段を
有することを特徴とする送信装置。
【請求項８】
第１トランスポートストリームを所定時間だけ遅延して第２トランスポートストリームを出力する手段と、
前記第２トランスポートストリームのインターリーブを行って第３トランスポートストリームを出力する手段と、
前記第１トランスポートストリームと、前記第２トランスポートストリームと、前記第３トランスポートストリームを多重して送信する手段を
有することを特徴とする送信装置。
【請求項９】
インターリーブを行ったのち遅延した第１トランスポートストリームと、前記第１トランスポートストリームと同一またはその一部の内容でインターリーブを行わない第２トランスポートストリームを多重して送信し、
受信信号から分離されデインターリーブを行った第１トランスポートストリームと前記受信信号から分離され遅延された第２トランスポートストリームとを前記第１または第２トランスポートストリームの正常／異常判定結果に基づいて切替えて送信することを特徴とするトランスポートストリーム切替え方法。
【発明の詳細な説明】
【技術分野】
【０００１】
本発明は、トランスポートストリーム切替え方法及びその装置に関し、特に、デジタル放送の受信時にフェージングの影響を軽減するトランスポートストリーム切替え方法及びその装置に関する。
【背景技術】
【０００２】
例えば地上デジタルテレビジョン放送、地上デジタル音声放送、長中短波デジタル放送などのデジタル放送を携帯受信機で受信する場合、ビル等の建物もしくは山岳等の地形による影響、または強い降雨による影響等により、携帯受信機での受信レベルが低下し通信品質が劣化するフェージングが発生する。
【０００３】
受信中にフェージングの影響で電波が途切れてしまう状況はＢＳデジタル放送で降雨によって発生することが知られており、これを回避するために同じ番組内容について情報量を落として異なる伝送路符号化方式で同時に放送するシステムが開発されている。
【０００４】
また、特許文献１には、現用系と待機系の入力ＯＦＤＭ信号の遅延及び位相を調整して同一タイミングとし、各系の入力ＯＦＤＭ信号の信号品質を監視し、現用系の品質が待機系の品質を下回ったときに現用系から待機系に切り替えることが記載されている。
【特許文献１】特開２００４−９６４６８号公報
【発明の開示】
【発明が解決しようとする課題】
【０００５】
地上デジタルテレビジョン放送のＯＦＤＭ信号の１セグメントのみを利用して放送される携帯向けサービスなどについては、伝送路符号化方式をＴＳ（Ｔｒａｎｓｐｏｒｔ  Ｓｔｒｅａｍ）によって異ならせることができないので、同じ番組内容について情報量を落として異なる伝送路符号化方式で同時に放送する従来方法は採用できないという問題があった。
【０００６】
また、特許文献１に記載の周波数ダイバーシティ方法では、フェージングの影響により現用系と待機系の品質がともに低下した場合には、対応できないという問題があった。
【０００７】
本発明は、上記の点に鑑みなされたもので、フェージングの影響によるサービスの途切れを軽減するトランスポートストリーム切替え方法及びその装置を提供することを目的とする。
【課題を解決するための手段】
【０００８】
請求項１，３に記載の発明は、インターリーブを行った第１トランスポートストリームと、前記第１トランスポートストリームと同一またはその一部の内容でインターリーブを行わない第２トランスポートストリームを多重して送信し、
受信信号から分離されデインターリーブを行った第１トランスポートストリームと前記受信信号から分離された第２トランスポートストリームとを前記第１または第２トランスポートストリームの正常／異常判定結果に基づいて切替えて出力することにより、
第１トランスポートストリームが異常の場合には第１トランスポートストリームから第２トランスポートストリームに切替えることで、フェージングの影響によるサービスの途切れを軽減することができる。
【０００９】
請求項２，４に記載の発明は、第１トランスポートストリームと、前記第１トランスポートストリームを所定時間だけ遅延した第２トランスポートストリームと、前記第２トランスポートストリームのインターリーブを行った第３トランスポートストリームを多重して送信し、
受信信号から分離され前記所定時間だけ遅延した第１トランスポートストリームと、前記受信信号から分離された第２トランスポートストリームと、前記受信信号から分離されデインターリーブを行った第３トランスポートストリームとを前記前記第１及び第３トランスポートストリームの正常／異常判定結果に基づいて切替えて出力することにより、
第１トランスポートストリームが異常の場合には第１トランスポートストリームから第２トランスポートストリームに切替え、更に、第２トランスポートストリームが異常の場合には第２トランスポートストリームから第３トランスポートストリームに切替えることで、フェージングの影響によるサービスの途切れを更に軽減することができる。
【００１０】
請求項５に記載の発明は、請求項３記載の受信装置において、
前記第２トランスポートストリームは前記第１トランスポートストリームの一部の内容であり、
前記切替手段は、前記第１トランスポートストリームが正常でないとき、前記第１トランスポートストリームから前記第２トランスポートストリームに切替えて出力することにより、簡易的にフェージングの影響を軽減しサービスの途切れを軽減することができる。
【００１１】
請求項６に記載の発明は、第１トランスポートストリームと、前記第１トランスポートストリームを所定時間だけ遅延した第２トランスポートストリームを多重した放送信号を受信する受信装置であって、
受信信号から分離された第１トランスポートストリームと前記受信信号から分離された第２トランスポートストリームを供給され、受信ユーザの操作により前記第１トランスポートストリームから前記第２トランスポートストリームに切替えて出力する切替手段を有することにより、受信できずに見逃したシーン等をプレイバック視聴することができる。
【００１２】
請求項７に記載の発明は、インターリーブを行って第１トランスポートストリームを出力する手段と、
前記第１トランスポートストリームと同一またはその一部の内容でインターリーブを行わない第２トランスポートストリームと前記第１トランスポートストリームを多重して送信する手段を有することにより、
インターリーブを行った第１トランスポートストリームと、前記第１トランスポートストリームと同一またはその一部の内容でインターリーブを行わない第２トランスポートストリームを多重した信号を送信できる。
【００１３】
請求項８に記載の発明は、第１トランスポートストリームを所定時間だけ遅延して第２トランスポートストリームを出力する手段と、
前記第２トランスポートストリームのインターリーブを行って第３トランスポートストリームを出力する手段と、
前記第１トランスポートストリームと、前記第２トランスポートストリームと、前記第３トランスポートストリームを多重して送信する手段を有することにより、
第１トランスポートストリームと、前記第１トランスポートストリームを所定時間だけ遅延した第２トランスポートストリームと、前記第２トランスポートストリームのインターリーブを行った第３トランスポートストリームを多重した信号を送信できる。
【００１４】
請求項９に記載の発明は、インターリーブを行ったのち遅延した第１トランスポートストリームと、前記第１トランスポートストリームと同一またはその一部の内容でインターリーブを行わない第２トランスポートストリームを多重して送信し、
受信信号から分離されデインターリーブを行った第１トランスポートストリームと前記受信信号から分離され遅延された第２トランスポートストリームとを前記第１または第２トランスポートストリームの正常／異常判定結果に基づいて切替えて送信することにより、
デインターリーブ処理時間に遅延時間を加算した時間のフェージングの影響を取り除くことが出来る。
【発明の効果】
【００１５】
本発明によれば、フェージングなどの伝搬路の障害によるサービスの途切れを軽減することができる。
【発明を実施するための最良の形態】
【００１６】
以下、図面を参照して本発明の実施形態について説明する。
【００１７】
図１は、本発明のトランスポートストリーム切替え方法の参考例のブロック図を示す。ここでは、地上デジタルテレビジョン放送のＯＦＤＭ信号の１セグメントを利用した携帯受信機向けの放送を例にとって説明する。
【００１８】
同図中、送信システム１００において、映像、音声、データそれぞれは情報源符号化部１０１において符号化されたのち、多重化部１０２で多重化されてＴＳ信号とされて分岐装置１０３に供給される。
【００１９】
分岐部１０３では上記ＴＳ信号を二分岐し、一方をＴＳパケットＴＳ＿Ａとして伝送路符号化部１０５に供給し、他方を遅延部１０４にてＴＳパケットＴＳ＿Ａより遅延時間τ１（τ１は数ミリ秒から数分）だけ遅延してＴＳパケットＴＳ＿Ｂとして伝送路符号化部１０５に供給する。伝送路符号化部１０５では、ＴＳパケットＴＳ＿ＡとＴＳ＿Ｂを地上デジタルテレビジョン放送のＯＦＤＭ信号の同一のセグメントとして伝送路符号化を行い、変調して送信信号とする。
【００２０】
受信システム２００では伝送路復号部２０１において伝送路から信号を受信し、受信信号からＴＳパケットＴＳ＿ＡとＴＳパケットＴＳ＿Ｂを復号する。ＴＳパケットＴＳ＿Ａは判定部２０２でＴＳパケットの正常／異常判定を行われたのち、遅延部２０３にて遅延時間τ２（τ２＝τ１−判定部２０２の判定時間）だけ遅延され、ＴＳパケットＴＳ＿Ｂと同期したＴＳパケットＴＳ＿Ａ’として切替部２０４に供給される。ＴＳパケットＴＳ＿Ｂは伝送路復号部２０１から直接切替部２０４に供給される。
【００２１】
切替部２０４は、判定部２０２の判定結果に基づいてＴＳパケット単位でＴＳパケットＴＳ＿ＢとＴＳ＿Ａ’のいずれか一方を切替え選択しＴＳパケットＴＳ＿Ｃとして情報源復号部２０５に供給する。情報源復号部２０５は上記ＴＳパケットＴＳ＿Ｃから映像、音声、データを復号し後続の図示しない視聴部に供給する。
【００２２】
図２は切替部２０５が行う切り替え処理のフローチャートを示し、図３は図１の各部における信号タイミングチャートを示す。図２において、ステップＳ１で視聴開始から遅延時間τ１以上経過したか否かを判別し、遅延時間τ１未満であれば、ステップＳ２でＴＳパケットＴＳ＿ＢをＴＳパケットＴＳ＿Ｃとして選択し、ステップＳ１に進む。
【００２３】
一方、ステップＳ１で遅延時間τ１以上経過した場合には、ステップＳ３で視聴開始以降に取得したＴＳパケットＴＳ＿Ａの判定結果が正常であるか否かを判別し、正常である場合はステップＳ４でＴＳパケットＴＳ＿Ａ’をＴＳパケットＴＳ＿Ｃとして選択し、ステップＳ１に進む。また、ＴＳパケットＴＳ＿Ａが正常でない場合はステップＳ５で遅延した異常ＴＳパケットＴＳ＿Ａ’をＴＳパケットＴＳ＿Ｂに切替えてＴＳパケットＴＳ＿Ｃとして選択し、ステップＳ１に進む。
【００２４】
図３において、視聴開始時刻ｔ１から遅延時間τ１未満ではＴＳパケットＴＳ＿Ｂ（Ｂ１，Ｂ２，Ｂ３）がＴＳパケットＴＳ＿Ｃとして選択され、その後、ＴＳパケットＴＳ＿Ａ’（Ａ４，Ａ５，Ａ６）がＴＳパケットＴＳ＿Ｃとして選択される。
【００２５】
時刻ｔ２〜ｔ３間でＴＳパケットＴＳ＿Ａ（Ａ７，Ａ８）に異常があると、切替部２０４は遅延された異常ＴＳパケットＴＳ＿Ａ’（Ａ７，Ａ８）をＴＳパケットＴＳ＿Ｂ（Ｂ７，Ｂ８）に切替えてＴＳパケットＴＳ＿Ｃとして選択している。
【００２６】
図４は、本発明のトランスポートストリーム切替え方法の第１実施形態のブロック図を示す。ここでは、地上デジタルテレビジョン放送のＯＦＤＭ信号の１セグメントを利用した携帯受信機向けの放送を例にとって説明する。
【００２７】
同図中、送信システム３００において、映像、音声、データそれぞれは情報源符号化部３０１において符号化されたのち、多重化部３０２で多重化されてＴＳ信号とされて分岐装置３０３に供給される。
【００２８】
分岐部３０３では上記ＴＳ信号を二分岐し、一方をインターリーブ部３０４においてインターリーブしＴＳパケットＴＳ＿Ａとして伝送路符号化部３０５に供給し、他方をＴＳパケットＴＳ＿Ｂとして直接、伝送路符号化部３０５に供給する。インターリーブ部３０４ではブロック単位でＴＳパケットの順序を入れ替える。例えば１ブロックが３つのＴＳパケットから構成され、ＴＳパケットＸ１，Ｘ２，Ｘ３の順序で並んでいる場合、ＴＳパケットＸ３，Ｘ１，Ｘ２の順序に並べ替える。なお、１ブロックを構成するＴＳパケット数は２以上であれば良いが、例えば数ミリ秒から数分に相当するパケット数である。
【００２９】
伝送路符号化部３０５では、ＴＳパケットＴＳ＿ＡとＴＳ＿Ｂを地上デジタルテレビジョン放送のＯＦＤＭ信号の同一のセグメントとして伝送路符号化を行い、変調して送信信号とする。
【００３０】
受信システム４００では伝送路復号部４０１において伝送路から信号を受信し、受信信号からＴＳパケットＴＳ＿ＡとＴＳパケットＴＳ＿Ｂを復号する。ＴＳパケットＴＳ＿Ａは判定部４０２でＴＳパケットの正常／異常判定を行われたのち、デインターリーブ部４０３にてデインターリーブされる。なお、デインターリーブとは、ＴＳパケットＡ３，Ａ１，Ａ２の順序で並んでいる場合、ＴＳパケットＡ１，Ａ２，Ａ３の順序に並べ替える処理であり、並べ替えに要するデインターリーブ処理時間τ３は例えば数ミリ秒から数分である。
【００３１】
デインターリーブ部４０３の出力するＴＳパケットＴＳ＿Ａ’は同期部４０４を経て切替部４０５に供給される。一方、伝送路復号部４０１の出力するＴＳパケットＴＳ＿Ｂは同期部４０６を経て直接、切替部４０５に供給される。
【００３２】
同期部４０４，４０６は、デインターリーブ処理時間τ３を吸収しパケット単位で正確に切替えを行うために設けられ、同一のクロックで動作してＴＳパケットＴＳ＿Ａ’，ＴＳ＿Ｂ間の同期を正確に合わせている。
【００３３】
切替部４０５は、判定部４０２の判定結果に基づいてＴＳパケット単位でＴＳパケットＴＳ＿ＢとＴＳ＿Ａ’のいずれか一方を切替え選択しＴＳパケットＴＳ＿Ｃとして情報源復号部４０７に供給する。情報源復号部４０７は上記ＴＳパケットＴＳ＿Ｃから映像、音声、データを復号し後続の図示しない視聴部に供給する。
【００３４】
図５は切替部４０５が行う切り替え処理のフローチャートを示し、図６は図４の各部における信号タイミングチャートを示す。図５において、ステップＳ１１で視聴開始からデインターリーブ処理時間τ３以上経過したか否かを判別し、デインターリーブ処理時間τ３未満であれば、ステップＳ１２でＴＳパケットＴＳ＿ＢをＴＳパケットＴＳ＿Ｃとして選択し、ステップＳ１１に進む。
【００３５】
一方、ステップＳ１１でインターリーブ処理時間τ３以上経過した場合には、ステップＳ１３で視聴開始以降に取得したＴＳパケットＴＳ＿Ａの判定結果が正常であるか否かを判別し、正常である場合はステップＳ１４でデインターリーブしたＴＳパケットＴＳ＿Ａ’をＴＳパケットＴＳ＿Ｃとして選択し、ステップＳ１１に進む。また、ＴＳパケットＴＳ＿Ａが正常でない場合はステップＳ１２でデインターリーブした異常ＴＳパケットＴＳ＿Ａ’をＴＳパケットＴＳ＿Ｂに切替えるためのＴＳパケットＴＳ＿Ｃとして選択し、ステップＳ１１に進む。
【００３６】
図６において、視聴開始時刻ｔ１１から遅延時間τ３未満ではＴＳパケットＴＳ＿Ｂ（Ｂ０〜Ｂ３）がＴＳパケットＴＳ＿Ｃとして選択され、その後、ＴＳパケットＴＳ＿Ａ’（Ａ４，Ａ５，Ａ６）がＴＳパケットＴＳ＿Ｃとして選択される。
【００３７】
時刻ｔ１２〜ｔ１３間でＴＳパケットＴＳ＿Ａ（Ａ８，Ａ１２）に異常があると、切替部２０４はデインターリーブされた異常ＴＳパケットＴＳ＿Ａ’（Ａ８），ＴＳ＿Ａ’（Ａ１２）それぞれをＴＳパケットＴＳ＿Ｂ（Ｂ８），ＴＳ＿Ｂ（Ｂ１２）それぞれにパケット単位で切替えてＴＳパケットＴＳ＿Ｃとして選択している。
【００３８】
このようにして、正常に受信できなかったＴＳパケットＢ５，Ｂ６をインターリーブしたために正常に受信できたＴＳパケットＴＳ＿ＡのＡ５，Ａ６に切替え、更に、ＴＳ＿Ａの中で正常に受信できなかったＡ８、Ａ１２をＴＳ＿ＢのＢ８、Ｂ１２に切替えることで、すべて正常なパケットでＴＳ＿Ｃを作成できる。このため、例えば携帯受信機でデジタル放送の受信中にフェージングが発生しても、その影響でサービスが途切れることを軽減できる。
【００３９】
図７は、本発明のトランスポートストリーム切替え方法の第１実施形態の変形例のブロック図を示す。図７においては、送信システム３００で、インターリーブ部３０４の出力するＴＳパケットＴＳ＿Ａを遅延部３１０で遅延時間τ４だけ遅延して伝送路符号化部３０５に供給する。これとともに、受信システム４００で、伝送路復号部４０１の出力するＴＳパケットＴＳ＿Ｂを遅延部４１０で遅延時間τ４だけ遅延して同期部４０６に供給する。
【００４０】
これにより、デインターリーブ処理時間τ３ではフェージングの影響を取り除けない場合であっても、遅延時間τ４をデインターリーブ処理時間τ３に加算した時間のフェージングの影響を取り除くことが出来る。
【００４１】
なお、図４、図７において、伝送路復号部４０１の出力するＴＳパケットＴＳ＿Ａを判定部４０２を通してデインターリーブ部４０３に供給する他に、ＴＳパケットＴＳ＿Ａを判定部４０２とデインターリーブ部４０３に並列に供給する構成としても良く、デインターリーブ部４０３でデインターリーブした後のＴＳパケットＴＳ＿Ａを判定部４０２で判定する構成としても良く、さらにはＴＳパケットＴＳ＿Ｂの正常／異常判定を行っても良い。
【００４２】
また、地上デジタルテレビジョン放送のＯＦＤＭ信号の複数セグメントを用いてＴＳパケットＴＳ＿Ａ，ＴＳ＿Ｂを放送しても良い。その場合には各ＴＳパケットを別々のセグメント群で伝送しても良く、同一セグメント群で伝送しても良い。
【００４３】
また、ＴＳパケットＴＳ＿ＡとＴＳ＿Ｂで全く同一のデータを流すことを前提として説明を行ったが、一方のＴＳパケットＴＳ＿Ａでは映像と音声を伝送し、他方のＴＳパケットＴＳ＿Ｂでは音声だけを伝送して音声だけを補完する方法や、ＴＳパケットＴＳ＿Ａに対し他方のＴＳパケットＴＳ＿Ｂの画像サイズを小さくしたり、圧縮率を高くすることで情報量を落とす方法が考えられる。
【００４４】
情報量を落とす方法が有効となるのは、例えば地上デジタル放送の普及に伴って電波状態が安定し、電波の途切れる頻度が激減したときなどが考えられる。電波状態が安定した状況が持続すれば、他方のＴＳパケットＴＳ＿Ｂの伝送をとりやめて、一方のＴＳパケットＴＳ＿Ａのみの伝送に移行することも考えられる。
【００４５】
図８は、本発明のトランスポートストリーム切替え方法の第２実施形態のブロック図を示す。ここでは、地上デジタルテレビジョン放送のＯＦＤＭ信号の１セグメントを利用した携帯受信機向けの放送を例にとって説明する。
【００４６】
同図中、送信システム６００において、映像、音声、データそれぞれは情報源符号化部６０１において符号化されたのち、多重化部６０２で多重化されてＴＳ信号とされて分岐装置６０３に供給される。
【００４７】
分岐部６０３では上記ＴＳ信号を三分岐し、その１つをＴＳパケットＴＳ＿Ａとして伝送路符号化部６０４に供給し、残り２つを遅延部６０５に供給する。遅延部６０５は２つのＴＳ信号それぞれを遅延時間τ１だけ遅延し、そのうちの一方をＴＳパケットＴＳ＿Ｂとして伝送路符号化部６０４に供給し、他方をインターリーブ部６０６に供給する。インターリーブ部６０６は遅延時間τ１だけ遅延されたＴＳ信号をインターリーブしＴＳパケットＴＳ＿Ｃとして伝送路符号化部６０４に供給する。インターリーブ部６０６ではブロック単位でＴＳパケットの順序を入れ替える。例えば１ブロックが３つのＴＳパケットから構成され、ＴＳパケットＸ１，Ｘ２，Ｘ３の順序で並んでいる場合、ＴＳパケットＸ３，Ｘ１，Ｘ２の順序に並べ替える。なお、１ブロックを構成するＴＳパケット数は２以上であれば良いが、例えば数ミリ秒から数分に相当するパケット数である。
【００４８】
伝送路符号化部６０４では、ＴＳパケットＴＳ＿ＡとＴＳ＿ＢとＴＳ＿Ｃを地上デジタルテレビジョン放送のＯＦＤＭ信号の同一のセグメントとして伝送路符号化を行い、変調して送信信号とする。
【００４９】
受信システム７００では伝送路復号部７０１において伝送路から信号を受信し、受信信号からＴＳパケットＴＳ＿ＡとＴＳパケットＴＳ＿ＢとＴＳパケットＴＳ＿Ｃを復号する。ＴＳパケットＴＳ＿Ａは判定部７０２でＴＳパケットの正常／異常判定を行われたのち、遅延部７０３にて遅延時間τ２（τ２＝τ１−判定部７０２の判定時間）だけ遅延され、同期部７０４を通しＴＳパケットＴＳ＿Ａ’として切替部７０５に供給される。
【００５０】
ＴＳパケットＴＳ＿Ｂは、同期部７０６を通しＴＳパケットＴＳ＿Ｂとして切替部７０５に供給される。ＴＳパケットＴＳ＿Ｃは、判定部７０７でＴＳパケットの正常／異常判定を行われたのち、デインターリーブ部７０８でデインターリーブされ、同期部７０９を通しＴＳパケットＴＳ＿Ｃ’として切替部７０５に供給される。なお、デインターリーブとは、ＴＳパケットＣ３，Ｃ１，Ｃ２の順序で並んでいる場合、ＴＳパケットＣ１，Ｃ２，Ｃ３の順序に並べ替える処理であり、デインターリーブ処理時間τ３は遅延時間τ１より大きいものとする。
【００５１】
同期部７０４，７０６，７０９は、遅延時間τ１及びデインターリーブ処理時間τ３を吸収しパケット単位で正確に切替えを行うために設けられ、同一のクロックで動作してＴＳパケットＴＳ＿Ａ’，ＴＳ＿Ｂ，ＴＳ＿Ｃ’間の同期を正確に合わせている。切替部７０５は、判定部７０２，７０７の判定結果に基づいてＴＳパケット単位でＴＳパケットＴＳ＿Ａ’，ＴＳ＿Ｂ，ＴＳ＿Ｃ’のいずれか１つを切替え選択しＴＳパケットＴＳ＿Ｄとして情報源復号部７１０に供給する。情報源復号部７１０は上記ＴＳパケットＴＳ＿Ｄから映像、音声、データを復号し後続の図示しない視聴部に供給する。
【００５２】
図９は切替部７０５が行う切り替え処理のフローチャートを示し、図１０は図８の各部における信号タイミングチャートを示す。図９において、ステップＳ２１で視聴開始から遅延時間τ１以上経過したか否かを判別し、遅延時間τ１未満であれば、ステップＳ２２で視聴開始からデインターリーブ処理時間τ３以上経過したか否かを判別し、デインターリーブ処理時間τ３未満であれば、ステップＳ２３でＴＳパケットＴＳ＿ＢをＴＳパケットＴＳ＿Ｄとして選択し、ステップＳ２１に進む。
【００５３】
一方、ステップＳ２２でインターリーブ処理時間τ３以上経過した場合には、ステップＳ２４で視聴開始以降に取得したＴＳパケットＴＳ＿Ｃの判定結果が正常であるか否かを判別し、正常である場合はステップＳ２５でデインターリーブしたＴＳパケットＴＳ＿Ｃ’をＴＳパケットＴＳ＿Ｄとして選択し、ステップＳ２１に進む。また、ＴＳパケットＴＳ＿Ｃが正常でない場合はステップＳ２３でデインターリーブした異常ＴＳパケットＴＳ＿Ｃ’をＴＳパケットＴＳ＿Ｂに切替えてＴＳパケットＴＳ＿Ｄとして選択し、ステップＳ２１に進む。
【００５４】
更に、ステップＳ２１で視聴開始から遅延時間τ１以上経過した場合はステップＳ２７で視聴開始以降に取得したＴＳパケットＴＳ＿Ａの判定結果が正常であるか否かを判別し、正常である場合はステップＳ４で遅延したＴＳパケットＴＳ＿Ａ’をＴＳパケットＴＳ＿Ｄとして選択し、ステップＳ２１に進む。また、ＴＳパケットＴＳ＿Ａが正常でない場合はステップＳ２４に進む。
【００５５】
図１０において、視聴開始時刻ｔ２１から遅延時間τ１未満ではＴＳパケットＴＳ＿ＢがＴＳパケットＴＳ＿Ｄとして選択され、その後、視聴開始時刻ｔ２１から遅延時間τ３が経過するまでＴＳパケットＴＳ＿Ｃ’がＴＳパケットＴＳ＿Ｄとして選択され、その後、ＴＳパケットＴＳ＿Ａ’がＴＳパケットＴＳ＿Ｄとして選択される。
【００５６】
時刻ｔ２２〜ｔ２３間でＴＳパケットＴＳ＿Ａ（Ａ８，Ａ１２）に異常があると、切替部７０５は遅延された異常ＴＳパケットＴＳ＿Ａ’が得られるタイミング（時刻ｔ２４，ｔ２５）で、デインターリーブされたＴＳパケットＴＳ＿Ｃ’に異常があるか否を判別し、異常なしのときＴＳパケットＴＳ＿Ｃ’を選択し、異常ありのときＴＳパケットＴＳ＿ＢをＴＳパケット単位で選択する。図１０の例ではデインターリーブされたＴＳパケットＴＳ＿Ｃ’に異常があるのでＴＳパケットＴＳ＿Ｂを選択している。
【００５７】
このようにして、正常に受信できなかったＴＳパケットＴＳ＿Ａ’をインターリーブしたために正常に受信できたＴＳパケットＴＳ＿Ｃ’
に切替え、更にこのＴＳパケットＴＳ＿Ｃ’を 正常に受信できなかった場合は遅延したために正常に受信できたＴＳパケットＴＳ＿Ｂに切替えることで、すべて正常なパケットでＴＳ＿Ｄを作成できる。
【００５８】
この実施形態では、図４の実施形態に比べて、フェージングの影響によるサービスの途切れを更に軽減することができる。
【００５９】
図１１は、本発明のトランスポートストリーム切替え方法の第３実施形態のブロック図を示す。ここでは、地上デジタルテレビジョン放送のＯＦＤＭ信号の１セグメントを利用した携帯受信機向けの放送を例にとって説明する。
【００６０】
同図中、送信システム８００において、映像、音声、データそれぞれは情報源符号化部８０１において符号化されたのち、多重化部８０２で多重化されてＴＳ信号とされて分岐装置８０３に供給される。
【００６１】
分岐部８０３では上記ＴＳ信号を二分岐し、一方をＴＳパケットＴＳ＿Ａとして伝送路符号化部８０５に供給し、他方を遅延部８０４にてＴＳパケットＴＳ＿Ａより遅延時間τ１だけ遅延してＴＳパケットＴＳ＿Ｂとして伝送路符号化部８０５に供給する。伝送路符号化部８０５では、ＴＳパケットＴＳ＿ＡとＴＳ＿Ｂを地上デジタルテレビジョン放送のＯＦＤＭ信号の同一のセグメントとして伝送路符号化を行い、変調して送信信号とする。
【００６２】
受信システム９００では伝送路復号部９０１において伝送路から信号を受信し、受信信号からＴＳパケットＴＳ＿Ａと遅延されたＴＳパケットＴＳ＿Ｂを復号する。ＴＳパケットＴＳ＿Ａ，ＴＳ＿Ｂそれぞれは切替部９０４に供給される。
【００６３】
切替部９０４は、視聴開始時にＴＳパケットＴＳ＿Ａを選択し、その後、受信ユーザの操作に応じてＴＳパケットＴＳ＿Ｂを選択するように手動で切替え、選択したＴＳパケットをＴＳパケットＴＳ＿Ｃとして情報源復号部２０５に供給する。情報源復号部２０５は上記ＴＳパケットＴＳ＿Ｃから映像、音声、データを復号し後続の図示しない視聴部に供給する。
【００６４】
図１２は図１１の各部における信号タイミングチャートを示す。視聴開始後は遅延のないＴＳパケットＴＳ＿ＡがＴＳパケットＴＳ＿Ｃとして選択される。この状態でＴＳパケットＴＳ＿Ａが正常に受信できなくなった場合に、切替部９０２を手動で切替えると、遅延したＴＳパケットＴＳ＿ＢがＴＳパケットＴＳ＿Ｃとして選択される。これによって、受信ユーザは受信できずに見逃したシーンをプレイバック視聴することができる。なお、受信ユーザは、もう一度視聴したいシーンなどがあった場合に切替部９０２を手動で切替えても良い。
【００６５】
この後、受信ユーザは不要な情報を受信していると判断した時点で、切替部９０２の切替え操作を行って、遅延したＴＳパケットＴＳ＿ＢからＴＳパケットＴＳ＿Ａの選択に再度移行して、次のプレイバック視聴が可能となる。
【００６６】
ところで、遅延部８０４の遅延時間τ１が短い場合には、図１３に示すように、伝送路復号部９０１が出力するＴＳパケットＴＳ＿Ｂを更に遅延して切替部９０４に供給する遅延部９０４を設けても良い。
【００６７】
なお、デインターリーブ部４０３，７０８が請求項記載のデインターリーブ手段に対応し、判定部４０２，７０２，７０７が判定手段に対応し、切替部４０５，７０５，９０２が切替手段に対応する。
【図面の簡単な説明】
【００６８】
【図１】本発明のトランスポートストリーム切替え方法の参考例のブロック図である。
【図２】切替部２０５が行う切り替え処理のフローチャートである。
【図３】図１の各部における信号タイミングチャートである。
【図４】本発明のトランスポートストリーム切替え方法の第１実施形態のブロック図である。
【図５】切替部４０５が行う切り替え処理のフローチャートである。
【図６】図４の各部における信号タイミングチャートである。
【図７】本発明のトランスポートストリーム切替え方法の第１実施形態の変形例のブロック図である。
【図８】本発明のトランスポートストリーム切替え方法の第２実施形態のブロック図である。
【図９】切替部７０５が行う切り替え処理のフローチャートである。
【図１０】図８の各部における信号タイミングチャートである。
【図１１】本発明のトランスポートストリーム切替え方法の第３実施形態のブロック図である。
【図１２】図１１の各部における信号タイミングチャートである。
【図１３】本発明のトランスポートストリーム切替え方法の第３実施形態の変形例のブロック図である。
【符号の説明】
【００６９】
３００，６００，８００  送信システム
３０１，６０１，８０１  情報源符号化部
３０２，６０２，８０２  多重化部
３０３，６０３，８０３  分岐装置
３０４，６０６  インターリーブ部
３０５，６０４，８０５  伝送路符号化部
４００，７００，９００  受信システム
４０１，７０１，９０１  伝送路復号部
４０２，７０２，７０７  判定部
４０３，７０８  デインターリーブ部
４０４，４０６，７０４，７０６，７０９  同期部
４０５，７０５，９０２  切替部
４０７，７１０，９０３  情報源復号部
３１０，４１０，６０５，７０３，８０４，９０４  遅延部
【図１】
2006093768.tif 000003
【図２】
2006093768.tif 000004
【図３】
2006093768.tif 000005
【図４】
2006093768.tif 000006
【図５】
2006093768.tif 000007
【図６】
2006093768.tif 000008
【図７】
2006093768.tif 000009
【図８】
2006093768.tif 000010
【図９】
2006093768.tif 000011
【図１０】
2006093768.tif 000012
【図１１】
2006093768.tif 000013
【図１２】
2006093768.tif 000014
【図１３】
2006093768.tif 000015